(57)【要約】【課題】リング径の拡張を充分に行うことができ，しかも見栄えが良好なリング状装身具のリング径可変装置を提供する。【解決手段】リング状装身具のリング径可変装置は，両端部に第１及び第２引き出し口９ａ，９ｂを有するケース３と，このケース３内に回転自在に収容されるリール４と，このリール４にそれぞれ同一方向で巻き取られて前記第１及び第２引き出し口９ａ，９ｂより外部に引き出され，前記リング状装身具１の一端と他端に接続される第１及び第２調節紐５ａ，５ｂと，前記リール４を前記第１及び第２調節紐５ａ，５ｂの巻き取り方向Ａに回転付勢するゼンマイばね６とを備える。【選択図】      図５
2014204833.tif 000002
【特許請求の範囲】
【請求項１】
リング状装身具（１）の一端と他端との間に接続されて該リング状装身具（１）のリング径を可変にする，リング状装身具のリング径可変装置において，
両端部に第１及び第２引き出し口（９ａ，９ｂ）を有するケース（３）と，このケース（３）内に回転自在に収容されるリール（４）と，このリール（４）にそれぞれ同一方向で巻き取られて前記第１及び第２引き出し口（９ａ，９ｂ）より外部に引き出され，前記リング状装身具（１）の一端と他端に接続される第１及び第２調節紐（５ａ，５ｂ）と，前記リール（４）を前記第１及び第２調節紐（５ａ，５ｂ）の巻き取り方向（Ａ）に回転付勢するゼンマイばね（６）とを備えることを特徴とする，リング状装身具のリング径可変装置。
【請求項２】
請求項１記載のリング状装身具のリング径可変装置において，
前記リール（４）の内部に形成した円筒状のばね室（１８）に前記ゼンマイばね（６）を収容したことを特徴とする，リング状装身具のリング径可変装置。
【請求項３】
請求項２記載のリング状装身具のリング径可変装置において，
前記ケース（３）に，前記ばね室（１８）を貫通する固定軸（１９）を固定支持し，この固定軸（１９）の一側に平坦面（１９ａ）を形成すると共に，その平坦面（１９ａ）にスリット（２０）を開口させ，前記ゼンマイばね（６）の内端部（６ａ）を，丸みを付しながら半径方向内方に屈曲して前記スリット（２０）に係合し，前記内端部（６ａ）の丸みを付した屈曲部（６ａ１）を，前記平坦面（１９ａ）と，前記固定軸（１９）の周囲に巻回される前記ゼンマイばね（６）の内周面との間に形成される三日月状のスペース（２１）に配置したことを特徴とする，リング状装身具のリング径可変装置。
【請求項４】
請求項１〜３の何れかに記載のリング状装身具のリング径可変装置において，
前記リール（４）が両端に有する第１及び第２リールフランジ（１２ａ，１２ｂ）に第１及び第２切欠き（１４ａ，１４ｂ）を設け，これら第１及び第２切欠き（１４ａ，１４ｂ）に連なる第１及び第２凹溝（１５ａ，１５ｂ）を前記第１及び第２リールフランジ（１２ａ，１２ｂ）の外端面に形成し，前記第１及び第２調節紐（５ａ，５ｂ）の各内端部（５ａ１，５ｂ１）を，前記第１及び第２切欠き（１４ａ，１４ｂ）を通して前記第１及び第２凹溝（１５ａ，１５ｂ）にそれぞれ収めて接着したことを特徴とする，リング状装身具のリング径可変装置。
【発明の詳細な説明】
【技術分野】
【０００１】
本発明は，ネックレス，ブレスレット等のリング状装身具の一端と他端との間に接続されて該リング状装身具のリング径を可変にする，リング状装身具のリング径可変装置の改良に関する。
【背景技術】
【０００２】
リング状装身具の多くは，身体への装着及び取り外しを可能にするジョイントを備えているが，そのジョイントの分離及び接続操作は極めて面倒なものである。そこで，リング状装身具のリング径を可変にし，身体への装着時には，そのリング径を拡大させて装着を容易にし，装着後は，そのリング径を通常通りに戻すようにした，リング状装身具のリング径可変装置が例えば特許文献１に開示されているように，既に提案されている。
【先行技術文献】
【特許文献】
【０００３】
【特許文献１】特開２００１−２５２１１３号公報
【発明の概要】
【発明が解決しようとする課題】
【０００４】
しかしながら，上記特許文献１に開示されたリング状装身具のリング径可変装置は，リング状装身具の途中に，コイルばねを用いた伸縮機構を介装したものであり，このようなコイルばねを使用したものでは，リング径の拡大が充分に得られず，身体への装着に困難を来すことがある。そこで，リング径の拡張を充分に得るために，コイルばねの全長を長くすることが考えられるが，そうすることは，そのコイルばねを収容する筒状のケースが長大化し，装身具としての見栄えを損じることなり，好ましくない。
【０００５】
本発明は，かゝる事情に鑑みてなされたもので，リング径の拡張を充分に行うことができ，しかも見栄えが良好なリング状装身具のリング径可変装置を提供することを目的とする。
【課題を解決するための手段】
【０００６】
上記目的を達成するために，本発明は，リング状装身具の一端と他端との間に接続されて該リング状装身具のリング径を可変にする，リング状装身具のリング径可変装置において，両端部に第１及び第２引き出し口を有するケースと，このケース内に回転自在に収容されるリールと，このリールにそれぞれ同一方向で巻き取られて前記第１及び第２引き出し口より外部に引き出され，前記リング状装身具の一端と他端に接続される第１及び第２調節紐と，前記リールを前記第１及び第２調節紐の巻き取り方向に回転付勢するゼンマイばねとを備えることを第１の特徴とする。尚，前記リング装身具は，後述する本発明の実施形態中のネックレス１に対応する。
【０００７】
また本発明は，第１の特徴に加えて，前記リールの内部に形成した円筒状のばね室に前記ゼンマイばねを収容したことを第２の特徴とする。
【０００８】
さらに本発明は，第２の特徴に加えて，前記ケースに，前記ばね室を貫通する固定軸を固定支持し，この固定軸の一側に平坦面を形成すると共に，その平坦面にスリットを開口させ，前記ゼンマイばねの内端部を，丸みを付しながら半径方向内方に屈曲して前記スリットに係合し，前記内端部の丸みを付した屈曲部を，前記平坦面と，前記固定軸の周囲に巻回される前記ゼンマイばねの内周面との間に形成される三日月状のスペースに配置したことを第３の特徴とする。
【０００９】
さらにまた本発明は，第１〜第３の特徴の何れかに加えて，前記リールが両端に有する第１及び第２フランジに第１及び第２切欠きを設け，これら第１及び第２切欠きに連なる第１及び第２凹溝を前記第１及び第２フランジの外端面に形成し，前記第１及び第２調節紐の各内端部を，前記第１及び第２切欠きを通して前記第１及び第２凹溝にそれぞれ収めて接着したことを第４の特徴とする。
【発明の効果】
【００１０】
本発明の第１の特徴によれば，両端部に第１及び第２引き出し口を有するケースと，このケース内に回転自在に収容されるリールと，このリールにそれぞれ同一方向で巻き取られて前記第１及び第２引き出し口より外部に引き出され，前記リング状装身具の一端と他端に接続される第１及び第２調節紐と，前記リールを前記第１及び第２調節紐の巻き取り方向に回転付勢するゼンマイばねとを備えるので，第１及び第２調節紐の総合引き出し量は，リールの２倍の回転数に対応することになり，第１及び第２調節紐の充分な総合引き出し量を得て，リング状装身具のリング径を充分に拡張することができ，使用者の首等への装着を容易に行うことができる。また単一の調節紐をリールに巻き付けて，上記総合引き出し量と同等に調節紐を引き出す場合に比して，リールの回転数は半分で済むので，ゼンマイばねの巻き込み量も半分で済み，その耐久性を効果的に高めることができる。しかも，リール及びゼンマイばねは円形でコンパクトであるから，これらを収容するケースもコンパクトに形成することが可能であり，リング状装身具の外観を良好にするのみならず，ケースをお洒落なペンダントとして利用することも可能となる。
【００１１】
本発明の第２の特徴によれば，リールの内部に形成した円筒状のばね室に前記ゼンマイばねを収容したことで，リール内部のデッドスペースをゼンマイばねの設置に利用することができ，ゼンマイばねの設置によるケースの大型化を防ぎ，ケースのコンパクト化をより図ることができる。
【００１２】
本発明の第３の特徴によれば，前記ケースに，前記ばね室を貫通する固定軸を固定支持し，この固定軸の一側に平坦面を形成すると共に，その平坦面にスリットを開口させ，前記ゼンマイばねの内端部を，丸みを付しながら半径方向内方に屈曲して前記スリットに係合し，前記内端部の丸みを付した屈曲部を，前記平坦面と，前記固定軸の周囲に巻回される前記ゼンマイばねの内周面との間に形成される三日月状のスペースに配置したので，ゼンマイばねを固定軸の外周に巻き付けた場合でも，ゼンマイばねの内端部の屈曲部には集中荷重が作用することを効果的に回避し，屈曲部の折損を防ぎ，ゼンマイばねの耐久性を高めることができる。
【００１３】
本発明の第４の特徴によれば，前記リールが両端に有する第１及び第２フランジに第１及び第２切欠きを設け，これら第１及び第２切欠きに連なる第１及び第２凹溝を前記第１及び第２フランジの外端面に形成し，前記第１及び第２調節紐の各内端部を，前記第１及び第２切欠きを通して前記第１及び第２凹溝にそれぞれ収めて接着したので，第１及び第２調節紐の各内端部は，リールに埋め込み状態で接続されることになり，隣接部品との干渉による剥がれを防ぎ，第１及び第２調節紐の耐久性を高めることができると共に，第１及び第２調節紐を，それらの内端部に邪魔されることなく，リール溝に整然と巻き込むことができる。
【図面の簡単な説明】
【００１４】
【図１】本発明のリング径可変装置を備えたネックレスを，使用者への装着状態で示す正面図。
【図２】上記ネックレスの使用者への装着過程を示す，図１との対応図。
【図３】上記リング径可変装置の縦断拡大正面図で，第１及び第２調節紐の巻き込み状態を示す。
【図４】第１及び第２調節紐の引き出し状態を示す，図３との対応図。
【図５】図３の５−５線断面図。
【図６】図５の６−６線断面図。
【図７】図３の７−７線断面図。
【図８】図５の８−８線断面図。
【図９】図３の９−９線断面図。
【発明を実施するための形態】
【００１５】
本発明の実施の形態を添付図面に基づいて以下に説明する。
【００１６】
先ず，図１及び図２において，リング状装身具としてのネックレス１は，その一端と他端とに第１ジョイント１ａと第２ジョイント１ｂとを有しており，これら第１及び第２ジョイント１ａ，１ｂ間に，ネックレス１のリング径を調節し得るリング径可変装置２が接続される。
【００１７】
図３〜図４に示すように，リング径可変装置２は，ケース３，このケース３に収容されるリール４，このリール４に巻き取られる第１及び第２調節紐５ａ，５ｂ，及びリール４を第１及び第２調節紐５ａ，５ｂの巻き取り方向に回転付勢するゼンマイばね６よりなっている。以下，調節紐５ａ，５ｂの巻き取りのためのリール４の回転方向を巻き取り方向Ａと言い，それと反対の回転方向を引き出し方向Ｂと言う。
【００１８】
前記ケース３は，各一端面の開放面を互いに突き合わせる第１及び第２ケース半体３ａ，３ｂよりなっており，正面視で目玉形をなしている。第１ケース半体３ａの突き合わせ面には複数の位置決めボス７，７…（図３及び図８参照）が，第２ケース半体３ｂの突き合わせ面には複数の位置決め凸部８，８…がそれぞれ形成され，これら位置決めボス７，７…及び位置決め凸部８，８…の圧入嵌合により両ケース半体３ａ，３ｂは結合される。その際，圧入嵌合部に接着剤を塗布することもできる。
【００１９】
第１及び第２ケース半体３ａ，３ｂの中心部には，間隔を開けて相対向する第１及び第２軸受ボス１０ａ，１０ｂがそれぞれ一体に形成されており，これら第１及び第２軸受ボス１０ａ，１０ｂの外周面によりリール４が回転自在に支承される。このリール４は，その外周に環状のリール溝１１を画成する第１及び第２リールフランジ１２ａ，１２ｂを両端に有しており，上記リール溝１１には，対をなす第１及び第２調節紐５ａ，５ｂが次のように巻装される。
【００２０】
即ち，図３及び図７に示すように，第１リールフランジ１２ａには第１切欠き１４ａが設けられ，この第１切欠き１４ａに連なる第１凹溝１５ａが第１リールフランジ１２ａの外端面に形成され，第１調節紐５ａの内端部５ａ１が第１切欠き１４ａを通して第１凹溝１５ａに収められると共に，接着剤１３により接着される。
【００２１】
また第２リールフランジ１２ｂには，第１切欠き１４ａとの対称位置に第２切欠き１４ｂが設けられ，この第２切欠き１４ｂに連なる第２凹溝１５ｂが第２リールフランジ１２ｂの外端面に形成され，第２調節紐５ｂの内端部５ｂ１が第２切欠き１４ｂを通して第２凹溝１５ｂに収められると共に，同じく接着剤１３により接着される。こうして各内端部５ａ１，５ｂ１が第１及び第２リールフランジ１２ａ，１２ｂに接続された第１及び第２調節紐５ａ，５ｂは，リール溝１１上に同一方向に巻回された後，それらの外端部の接続端子５ａ２，５ｂ２がケース３の両端に設けられる第１及び第２引き出し口９ａ，９ｂ（図３及び図９参照）から外方に引き出されて前記第１及び第２ジョイント１ａ，１ｂにそれぞれ接続される。
【００２２】
図６に示すように，前記軸受ボス１０ａ，１０ｂの中空部は欠円状の支持孔１７，１７になっており，これら支持孔１７，１７にリール４内部の円筒状のばね室１８を貫通する固定軸１９の両端部が固定支持される。この固定軸１９は，欠円状の支持孔１７，１７の断面に対応した断面を有する。即ち，一側面に平坦面１９ａを有しており，その平坦面１９ａに開口するようにスリット２０が固定軸１９に設けられる。このスリット２０は，一方の軸受ボス１０ａ又は１０ｂに支持される一端部を除く他の部分の全長にわたり形成される。
【００２３】
再び図３〜図５において，リール４内部の円筒状のばね室１８には前記ゼンマイばね６が収容される。その際，ゼンマイばね６の内端部６ａは，半径方向内方に屈曲して固定軸１９のスリット２０に係止され，その屈曲部６ａ１には丸みを付して前記平坦面１９ａの領域に配置され，これにより丸みを付した屈曲部６ａ１は，前記平坦面１９ａと，固定軸１９の周囲に巻回されるゼンマイばね６の内周面との間に形成される三日月状のスペース２１（図４参照）に配置されることになる。
【００２４】
ゼンマイばね６の外端部６ｂは，半径方向外方にフック状に屈曲して，リール４に設けられるスリット２２に係止される。而して，ゼンマイばね６は，その拡張方向の弾発力が，リール４を，第１及び第２調節紐５ａ，５ｂの巻き取り方向Ａに回転付勢するようになっている。
【００２５】
次に，この実施形態の作用について説明する。
【００２６】
リング径可変装置２では，通常，図３に示すように，ゼンマイばね６が拡張して，リール４を巻き取り方向Ａに回転して第１及び第２調節紐５ａ，５ｂをリール４のリール溝１１に巻き込んでいて，ネックレス１の第１及び第２ジョイント１ａ，１ｂをケース３の第１及び第２引き出し口９ａ，９ｂの位置に保持しており，このときネックレス１は，リング径を最小にした状態となっている。
【００２７】
ネックレス１の装着に際しては，図２に示すように，使用者Ｕは，ネックレス１の第１及び第２ジョイント１ａ，１ｂの近傍部を両手で把持して引っ張ると，第１及び第２調節紐５ａ，５ｂが引き出し口９ａ，９ｂからケース３外に引く出され，これに伴ない，図４に示すように，リール４は引き出し方向Ｂへ回転しながらゼンマイばね６を縮径させて，拡張力を蓄積していく。
【００２８】
第１及び第２調節紐５ａ，５ｂの引き出しにより，ネックレス１のリング径が使用者Ｕの頭部Ｈの直径以上に拡大したところで，使用者Ｕは，このネックレス１を頭部Ｈから首部Ｎへと容易に装着することができ，装着後，第１及び第２調節紐５ａ，５ｂに対する引き出し力を開放すれば，ゼンマイばね６は，その蓄積した拡張力によりリール４を巻き取り方向Ｂに回転させるので，リール４は第１及び第２調節紐５ａ，５ｂを同時にリール溝１１に巻き込んでいき，ネックレス１のリング径は通常の最小径となる。
【００２９】
上記のように，本発明のリング径可変装置２では，両端部に第１及び第２引き出し口９ａ，９ｂを有するケース３と，このケース３内に回転自在に収容されるリール４と，このリール４にそれぞれ同一方向で巻き取られて第１及び第２引き出し口９ａ，９ｂより外部に引き出され，ネックレス１の一端と他端に接続される第１及び第２調節紐５ａ，５ｂと，リール４を第１及び第２調節紐５ａ，５ｂの巻き取り方向Ａに回転付勢するゼンマイばね６とを備えるので，第１及び第２調節紐５ａ，５ｂの総合引き出し量は，リール４の２倍の回転数に対応することになり，第１及び第２調節紐５ａ，５ｂの充分な総合引き出し量を得て，ネックレス１のリング径を充分に拡張することができ，使用者Ｕの首Ｎへの装着を容易に行うことができる。また単一の調節紐をリールに巻き付けて，上記総合引き出し量と同等に調節紐を引き出す場合に比して，リール４の回転数は半分で済むので，ゼンマイばね６の巻き込み量も半分で済み，その耐久性を効果的に高めることができる。
【００３０】
しかも，リール４及びゼンマイばね６は円形でコンパクトであるから，これらを収容するケース３も円形又はそれに近いコンパクトなものとなり，ネックレス１の外観を良好にするのみならず，ケース３をお洒落なペンダントとして利用することも可能となる。
【００３１】
またリール４の内部に形成した円筒状のばね室１８に前記ゼンマイばね６を収容したことで，リール４内部のデッドスペースをゼンマイばね６の設置に利用することができ，ゼンマイばね６の設置によるケース３の大型化を防ぎ，ケース３のコンパクト化をより図ることができる。
【００３２】
またばね室１８を貫通する固定軸１９を固定支持し，この固定軸１９の一側に平坦面１９ａを形成すると共に，その平坦面１９ａにスリット２０を開口させ，ゼンマイばね６の内端部６ａを半径方向内方に丸みを付しながら屈曲してスリット２０に係合し，前記内端部６ａの丸みを付した屈曲部６ａ１を，前記平坦面１９ａと，固定軸１９の周囲に巻回されるゼンマイばね６の内周面との間に形成される三日月状のスペース２１に配置したので，ゼンマイばね６を固定軸１９の外周に巻き付けた場合でも，前記屈曲部６ａ１には集中荷重が作用することを効果的に回避し，屈曲部６ａ１の折損を防ぎ，ゼンマイばね６の耐久性を高めることができる。
【００３３】
またリール４が両端に有する第１及び第２リールフランジ１２ａ，１２ｂに第１及び第２切欠き１４ａ，１４ｂを設け，これら第１及び第２切欠き１４ａ，１４ｂに連なる第１及び第２凹溝１５ａ，１５ｂを前記第１及び第２リールフランジ１２ａ，１２ｂの外端面に設け，前記第１及び第２調節紐５ａ，５ｂの各内端部５ａ１，５ｂ１を，前記第１及び第２切欠き１４ａ，１４ｂを通して前記第１及び第２凹溝１５ａ，１５ｂにそれぞれ収めて接着したので，第１及び第２調節紐５ａ，５ｂの各内端部５ａ１，５ｂ１は，リール４に埋め込み状態で接続されることになり，隣接部品との干渉による剥がれを防ぎ，第１及び第２調節紐５ａ，５ｂの耐久性を高めることができると共に，第１及び第２調節紐５ａ，５ｂを，それらの内端部５ａ１，５ｂ１に邪魔されることなく，リール溝１１に整然と巻き込むことができる。
【００３４】
本発明は上記実施形態に限定されるものではなく，その要旨を逸脱しない範囲で種々の設計変更が可能である。例えば，本発明のリング径可変装置をブレスレットに適用してもよい。またケース３は多角形に構成することもできる。また第１及び第２調節紐５ａ，５ｂとして天蚕糸やチェーンの使用が可能である。
【符号の説明】
【００３５】
Ａ・・・・・・巻き取り方向
Ｂ・・・・・・引き出し方向
１・・・・・・リング状装身具（ネックレス）
３・・・・・・ケース
４・・・・・・リール
５ａ・・・・・第１調節紐
５ａ１・・・・第１調節紐の内端部
５ｂ・・・・・第２調節紐
５ｂ１・・・・第２調節紐の内端部
６・・・・・・ゼンマイばね
６ａ・・・・・ゼンマイばねの内端部
６ａ１・・・・上記内端部の屈曲部
９ａ・・・・・第１引き出し口
９ｂ・・・・・第２引き出し口
１２ａ・・・・第１リールフランジ
１２ｂ・・・・第２リールフランジ
１３・・・・・接着剤
１４ａ・・・・第１切欠き
１４ｂ・・・・第２切欠き
１５ａ・・・・第１凹溝
１５ｂ・・・・第２凹溝
１８・・・・・ばね室
１９・・・・・固定軸
２０・・・・・スリット
２１・・・・・スペース
【図１】
2014204833.tif 000003
【図２】
2014204833.tif 000004
【図３】
2014204833.tif 000005
【図４】
2014204833.tif 000006
【図５】
2014204833.tif 000007
【図６】
2014204833.tif 000008
【図７】
2014204833.tif 000009
【図８】
2014204833.tif 000010
【図９】
2014204833.tif 000011